(57)【要約】【課題】データを見返した場合でも、会議の進行にすぐに復帰すること。【解決手段】表示装置１００は、表示制御部１０７と、判定部１０８とを有する。表示制御部１０７は、情報処理装置１０から指定されたページ番号に対応するデータを、データとデータに付与されたページ番号とを対応付けて記憶する画像データＤＢ１０２から読み出して表示する。また、表示制御部１０７は、表示するデータのページ番号を逆送りする操作を受付け、逆送りされたページ番号に対応するデータを画像データＤＢ１０２から読み出して表示する。そして、表示制御部１０７は、判定部１０８によって逆送りされたページ番号に対応するデータの表示時間が所定の閾値を超えたと判定され、データのページ番号を順送りする操作を受付けた場合に、情報処理装置１０から指定されたページ番号に対応するデータを画像データＤＢ１０２から読み出して表示する。【選択図】図１
2013011970.tif 000002
【特許請求の範囲】
【請求項１】
データと前記データに付与されたページ番号とを対応付けて記憶する記憶部と、
自装置とネットワークを介して接続される情報処理装置から指定されたページ番号に対応するデータを前記記憶部から読み出して表示する第１の表示制御部と、
前記第１の表示制御部によって表示されるデータのページ番号を逆送りする操作を受付け、逆送りされたページ番号に対応するデータを前記記憶部から読み出して表示する第２の表示制御部と、
前記第２の表示制御部によって表示されるデータの表示時間が所定の閾値を超えたか否かを判定する判定部と、
前記判定部によって前記第２の表示制御部によって表示されるデータの表示時間が前記所定の閾値を超えたと判定され、データのページ番号を順送りする操作を受付けた場合に、前記情報処理装置から指定されたページ番号に対応するデータを前記記憶部から読み出して表示する第３の表示制御部と
を有することを特徴とする表示装置。
【請求項２】
前記表示装置が、
前記判定部によって前記逆送りされたページ番号に対応するデータを表示する表示時間が所定の閾値を超えたと判定された場合、前記情報処理装置から指定されたページ番号と、前記表示時間が前記所定の閾値を超えたと判定されたデータのページ番号とを対応付けたリストを生成する生成部と、
前記生成部によって生成されたリストを前記情報処理装置に送信する送信部と
を更に有することを特徴とする請求項１に記載の表示装置。
【請求項３】
前記表示装置が、
前記情報処理装置との通信状態が解消されたか否かを監視する監視部と、
前記監視部によって前記情報処理装置との通信状態が解消されたと判定された場合に、前記記憶部が記憶するデータを消去する消去部とを
更に有することを特徴とする請求項１または２に記載の表示装置。
【請求項４】
前記監視部は、所定時間通信状態が途絶えた場合に、前記情報処理装置との通信状態が解消したと判定することを特徴とする請求項３に記載の表示装置。
【請求項５】
表示装置が有するコンピュータに、
自装置とネットワークを介して接続される情報処理装置から指定されたページ番号に対応するデータを、データと前記データに付与されたページ番号とを対応付けて記憶する記憶部から読み出して表示させ、
前記表示したデータのページ番号を逆送りする操作を受付けて、逆送りされたページ番号に対応するデータを前記記憶部から読み出して表示させ、
前記逆送りされたページ番号に対応するデータを表示する表示時間が所定の閾値を超えたか否かを判定させ、
前記逆送りされたページ番号に対応するデータを表示する表示時間が所定の閾値を超えたと判定し、データのページ番号を順送りする操作を受付けた場合に、前記情報処理装置から指定されたページ番号に対応するデータを前記記憶部から読み出して表示させる
ことを特徴とする表示プログラム。
【請求項６】
表示装置が、
自装置とネットワークを介して接続される情報処理装置から指定されたページ番号に対応するデータを、データと前記データに付与されたページ番号とを対応付けて記憶する記憶部から読み出して表示し、
前記表示したデータのページ番号を逆送りする操作を受付けて、逆送りしたページ番号に対応するデータを前記記憶部から読み出して表示し、
前記逆送りしたページ番号に対応するデータを表示する表示時間が所定の閾値を超えたか否かを判定し、
前記逆送りしたページ番号に対応するデータを表示する表示時間が所定の閾値を超えたと判定し、データのページ番号を順送りする操作を受付けた場合に、前記情報処理装置から指定されたページ番号に対応するデータを前記記憶部から読み出して表示する
処理を実行することを特徴とする表示方法。
【請求項７】
情報処理装置と前記情報処理装置とネットワークを介して接続される表示装置とを有する表示システムにおける会議方法であって、
前記情報処理装置が、
前記表示装置にページ番号を指定し、
前記表示装置が、
前記情報処理装置から指定されたページ番号に対応するデータを、データと前記データに付与されたページ番号とを対応付けて記憶する記憶部から読み出して表示し、
前記表示したデータのページ番号を逆送りする操作を受付けて、逆送りしたページ番号に対応するデータを前記記憶部から読み出して表示し、
前記逆送りしたページ番号に対応するデータを表示する表示時間が所定の閾値を超えたか否かを判定し、
前記逆送りしたページ番号に対応するデータを表示する表示時間が所定の閾値を超えたと判定し、データのページ番号を順送りする操作を受付けた場合に、前記情報処理装置から指定されたページ番号に対応するデータを前記記憶部から読み出して表示する
処理を実行することを特徴とする会議方法。
【発明の詳細な説明】
【技術分野】
【０００１】
本発明は、表示装置、表示プログラム、表示方法及び会議方法に関する。
【背景技術】
【０００２】
電子ペーパーは、データの書き換え時には電力を消費するが、表示したデータを無電力で維持できる低消費電力の表示装置である。また、電子ペーパーは、汎用のＰＣ（Personal  Computer）端末と異なり、薄型かつ軽量であるので可搬性も高い。このようなことから、電子ペーパーは、紙の資料の代替として会議で利用される場合がある。
【０００３】
例えば、電子ペーパーを利用する会議では、会場に持ち込まれた電子ペーパーそれぞれは、サーバＰＣと無線通信などで連携される。説明者は、サーバＰＣから各被説明者に配布された電子ペーパーに会議で用いる資料を送信する。そして、被説明者は、サーバＰＣから電子ペーパーに送信された資料を閲覧する。
【０００４】
また、電子ペーパーを利用する会議では、プレゼンテーションの流れを妨げたり、会議の進行を妨げたりする恣意的な操作を防止できる。具体的には、会議で用いられる電子ペーパーは、サーバＰＣから送信された資料のうち選択された一つのページを表示するだけであり、ＰＣ端末のように同時に複数の資料やデータを重ね合わせて表示することができない。また、会議で用いられる電子ペーパーは、ウェブページへアクセスし、表示する機能を有さない。
【０００５】
このため、電子ペーパーを操作する被説明者は、ＰＣ端末を操作する場合と比較して、ページ送り以外の恣意的な操作を行えない。例えば、被説明者は、電子ペーパーを用いた場合、説明中の会議資料とは異なるウェブページやファイルを閲覧することができない。
【０００６】
このようなことから、電子ペーパーを利用する会議では、説明者は、プレゼンテーションの流れを妨げられたり、会議の進行を妨げられたりすることがない。すなわち、電子ペーパーを用いた会議では、説明者は、被説明者用の端末にＰＣ端末を用いた場合よりも有効に会議を進行できる。
【先行技術文献】
【特許文献】
【０００７】
【特許文献１】特開２０１０−３３１２８号公報
【発明の概要】
【発明が解決しようとする課題】
【０００８】
しかしながら、上述した従来の技術では、資料を見返した場合に、会議の進行にすぐに復帰することができないという課題があった。
【０００９】
電子ペーパーを利用した会議でも紙の資料を利用した会議の場合と同様に、被説明者は、資料を見返す場合がる。例えば、被説明者は、説明者が説明中のページより５ページ前の資料を閲覧する場合、電子ペーパーを操作して５ページ分ページを逆送りする。
【００１０】
そして、被説明者は、説明中のページより５ページ前の資料を閲覧したあと、説明者が説明しているページに復帰する場合、電子ペーパーを操作して５ページ分ページを順送りする。電子ペーパーでは、一つのページの書き換え時間が０．３秒以上とＰＣ端末よりも長いので、被説明者がページを順送りする操作を繰り返して行う間に、説明者は別のページの説明を開始することが起こりえる。この場合、被説明者は、復帰したページからさらにページを順送りする操作を行うことになり、会議の進行にすぐに復帰することができない。
【００１１】
１つの側面では、資料を見返した場合でも、会議の進行にすぐに復帰することができる表示装置、表示プログラム、表示方法及び会議方法を提供することを目的とする。
【課題を解決するための手段】
【００１２】
第１の案では表示装置は、データとデータに付与されたページ番号とを対応付けて記憶する。また、表示装置は、自装置とネットワークを介して接続される情報処理装置から指定されたページ番号に対応するデータを読み出して表示する。そして、表示装置は、表示するデータのページ番号を逆送りする操作を受付け、逆送りされたページ番号に対応するデータを読み出して表示する。また、表示装置は、表示するデータの表示時間が所定の閾値を超えたか否かを判定する。ここで、表示装置は、表示するデータの表示時間が所定の閾値を超えたと判定し、データのページ番号を順送りする操作を受付けた場合に、情報処理装置から指定されたページ番号に対応するデータを読み出して表示する。
【発明の効果】
【００１３】
資料を見返した場合でも、会議の進行にすぐに復帰することができる。
【図面の簡単な説明】
【００１４】
【図１】図１は、実施例１に係る表示システムの構成を示す図である。
【図２】図２は、画像データＤＢとして記憶される情報の一例を示す図である。
【図３】図３は、表示履歴ＤＢとして記憶される情報の一例を示す図である。
【図４】図４は、判定部による表示履歴ＤＢを更新する処理を示す図である。
【図５】図５は、実施例１に係る表示装置によるページ送り操作の時間遷移の一例を示す図である。
【図６】図６は、実施例１に係る表示システムによる表示処理の処理手順を示すフローチャートである。
【図７】図７は、実施例１に係る表示装置によるページ送り処理の処理手順を示すフローチャートである。
【図８】図８は、実施例２に係る表示装置の構成を示すブロック図である。
【図９】図９は、実施例２に係る表示システムによる表示処理の処理手順を示すフローチャートである。
【図１０】図１０は、表示プログラムを実行する表示装置を示す図である。
【発明を実施するための形態】
【００１５】
以下に、本願の開示する表示装置、表示プログラム、表示方法及び会議方法の実施例を図面に基づいて詳細に説明する。なお、この実施例によりこの発明が限定されるものではない。そして、各実施例は、処理内容を矛盾させない範囲で適宜組み合わせることが可能である。
【実施例１】
【００１６】
実施例１では、図１から図７を用いて、表示システムの構成、情報処理装置の構成、表示装置の構成、ページ送り操作、表示処理の処理手順、効果などについて説明する。
【００１７】
［表示システムの構成］
図１は、実施例１に係る表示システムの構成を示す図である。図１に示すように、実施例１に係る表示システム１は、情報処理装置１０と、表示装置１００とを有する。また、情報処理装置１０と表示装置１００とは、例えばＢｌｕｅｔｏｏｔｈ（登録商標、以下同様）によって互いに通信可能に接続されている。なお、情報処理装置１０と表示装置１００との接続は、Ｂｌｕｅｔｏｏｔｈに限定されるものではなく、例えば、ＩＥＥＥ８０２．１１ｇなど無線ＬＡＮ（Local  Area  Network）であってもよい。また、表示システム１が有する表示装置１００の数はこれに限定されるものではなく、任意に変更可能である。
【００１８】
なお、表示システム１の一例としては、電子ペーパー会議システムが挙げられる。以下の説明では、電子ペーパー会議システムで用いられる、情報処理装置１０を説明者が操作するＰＣ端末、被説明者が操作する表示装置１００を電子ペーパーとして説明する。
【００１９】
情報処理装置１０は、プレゼンテーションを行う説明者の操作を受付けて、画像データを表示装置１００に送信する。この画像データは、例えば、説明者がプレゼンテーションに用いる資料と同じ内容であり、説明者が説明する資料のページを変えるごとに表示装置１００に送信される。
【００２０】
また、表示装置１００は、説明者の説明にあわせて情報処理装置１０から画像データを受信し、受信した画像データにページ番号を付与して、画像データＤＢ１０２に格納する。そして、表示装置１００は、受信した画像データを表示部１０４に表示する。
【００２１】
このようにして、表示装置１００は情報処理装置１０から受信した画像データを受信した順に画像データＤＢ１０２に格納し、受信した画像データの中で最も新しい画像データを表示する。
【００２２】
また、表示装置１００は、画像データＤＢ１０２に格納した画像データを見返す操作を利用者から受付ける。表示装置１００は、利用者から表示するページの逆送りする操作を受け付けた場合、逆送りしたページの表示時間を測定する。そして、表示装置１００は、逆送りしたページの表示時間が所定の時間を超えていると判定し、利用者からページを順送りする操作を受付けた場合、受信した画像データの中で最も新しい画像データを表示する。
【００２３】
このように、表示システム１では、表示装置１００が利用者から表示するページの逆送りする操作を受け付ける。そして、表示装置は、逆送りしたページの表示時間が所定の時間を超え、利用者からページを順送りする操作を受付けた場合、最も新しい画像データを表示するので、表示装置１００の利用者は、説明者の説明にすぐに復帰することができる。
【００２４】
［実施例１に係る情報処理装置の構成］
次に、図１を用いて、実施例１に係る情報処理装置１０の構成を説明する。情報処理装置１０は、通信部１１と、記憶部１２と、制御部１３とを有する。
【００２５】
通信部１１は、例えば、Ｂｌｕｅｔｏｏｔｈによって表示装置１００と情報のやり取りを制御する。例えば、通信部１１は、ページコンテンツ、ページ送り信号、メモリリセット信号を表示装置１００に送信し、表示装置１００からデータを受信する。
【００２６】
なお、通信部１１は、例えば、Ｂｌｕｅｔｏｏｔｈで、シリアルプロファイルを用いて、表示装置１００を探索する。そして、通信部１１は、探索した結果、見つかった表示装置１００に連携信号を送信する。
【００２７】
記憶部１２は、情報処理装置１０が実行するプログラムや情報処理装置１０が表示装置１００に送信する画像データなどを保持する。制御部１３は、記憶部１２から各種プログラムを読み出して実行する。また、制御部１３は、利用者から画像データを表示装置１００に送信する操作を受付けた場合、記憶部１２から画像データを読み出し、読み出した画像データを表示装置１００に通信部１１を介して送信する。また、制御部１３は、画像データ以外のデータを表示装置１００に送信する場合、データを画像データに変換する。
【００２８】
［実施例１に係る表示装置の構成］
次に、図１を用いて、実施例１に係る表示装置１００の構成を説明する。表示装置１００は、通信部１０１と、画像データＤＢ（Data  Base）１０２と、表示履歴ＤＢ１０３と、表示部１０４と、操作受付け部１０５と、画像データＤＢ制御部１０６と、表示制御部１０７と、判定部１０８とを有する。
【００２９】
通信部１０１は、例えば、Ｂｌｕｅｔｏｏｔｈによって情報処理装置１０との情報のやり取りを制御する。例えば、通信部１０１は、情報処理装置１０からページコンテンツ、ページ送り信号、メモリリセット信号などを受信し、情報処理装置１０にデータを送信する。
【００３０】
通信部１０１は、例えば、Ｂｌｕｅｔｏｏｔｈで、シリアルプロファイルを用いた場合には、まず、情報処理装置１０から、表示装置１００を探索する。通信部１０１は、探索した結果、見つかった表示装置１００と連携関係を構築する。
【００３１】
画像データＤＢ１０２は、例えば半導体メモリ素子などの記憶装置であり、情報処理装置１０から受信した画像データを記憶する。図２を用いて、画像データＤＢ１０２として記憶される情報を説明する。図２は、画像データＤＢとして記憶される情報の一例を示す図である。
【００３２】
図２に示すように、画像データＤＢ１０２は、「画像ＩＤ」と、「ページＮｏ」と、「画像データ」とを対応付けて記憶する。
【００３３】
ここで、画像データＤＢ１０２として記憶される「画像ＩＤ」は、情報処理装置１０から受信した画像データの識別子を示す。例えば、「画像ＩＤ」には、「ｘｘｘｘ１」や「ｘｘｘｘ２」などが格納される。
【００３４】
また、「ページＮｏ」は、画像データに付与されたページ番号を示す。例えば、「ページＮｏ」には、「２」、「３」などが格納される。「画像データ」は、情報処理装置１０から受信した画像データである。
【００３５】
図２に示す例の場合、画像データＤＢ１０２は、画像ＩＤ「ｘｘｘｘ１」である画像データは、１ページ目に表示されることを示し、画像ＩＤ「ｘｘｘｘ２」である画像データは、２ページ目に表示されることを示す。
【００３６】
表示履歴ＤＢ１０３は、例えば半導体メモリ素子などの記憶装置であり、表示部１０４が表示した画像データのページＮｏの履歴を記憶する。図３を用いて、表示履歴ＤＢ１０３として記憶される情報の一例を説明する。図３は、表示履歴ＤＢとして記憶される情報の一例を示す図である。
【００３７】
図３に示すように、表示履歴ＤＢ１０３は、「指定ページＮｏ」と、「表示ページＮｏ」と、「逆送り割り当てページＮｏ」と、「順送り割り当てページＮｏ」とを対応付けて記憶する。
【００３８】
ここで、表示履歴ＤＢ１０３として記憶される「指定ページＮｏ」は、情報処理装置１０によって指定された画像データのページＮｏを示す。例えば、「指定ページＮｏ」には、「１」、「２」、「３」などが格納される。
【００３９】
また、「表示ページＮｏ」は、表示装置１００が表示している画像データのページＮｏを示す。例えば、「表示ページＮｏ」には、「１」、「２」、「３」などが格納される。
【００４０】
また、「逆送り割り当てページＮｏ」は、後述する操作受付け部１０５によって利用者からページを逆送りする操作を受付けた場合に表示部１０４に表示させる画像データのページＮｏを示す。例えば、「逆送り割り当てページＮｏ」には、「−」、「１」、「２」、「３」、「４」などが格納される。なお、「逆送り割り当てページＮｏ」に格納される「−」は、逆送り操作を受付けた場合に表示する画像データがないことを示す。
【００４１】
また、「順送り割り当てページＮｏ」は、操作受付け部１０５によって利用者からページを順送りする操作を受付けた場合に表示部１０４に表示させる画像データのページＮｏを示す。例えば、「順送り割り当てページＮｏ」には、「２」、「３」、「４」、「−」などが格納される。なお、「順送り割り当てページＮｏ」に格納される「−」は、順送り操作を受付けた場合に表示する画像データがないことを示す。
【００４２】
図３に示す例の場合、表示履歴ＤＢ１０３は、１ページ目の画像データの表示が指示され、表示部１０４に１ページ目の画像データを表示している場合に、ページを逆送りする操作を受付けても表示する画像データがないことを示す。また、表示履歴ＤＢ１０３は、１ページ目の画像データの表示が指示され、表示部１０４に１ページ目の画像データを表示している場合に、ページを順送りする操作を受付けた場合、２ページ目の画像データを表示することを示す。
【００４３】
同様に、表示履歴ＤＢ１０３は、２ページ目の画像データの表示が指示され、表示部１０４に２ページ目の画像データを表示し、ページを逆送りする操作を受付けた場合、１ページ目の画像データを表示することを示す。また、表示履歴ＤＢ１０３は、２ページ目の画像データの表示が指示され、表示部１０４に２ページ目の画像データを表示している場合に、ページを順送りする操作を受付けた場合、３ページ目の画像データを表示することを示す。
【００４４】
表示部１０４は、例えば電子ペーパーであり、後述する表示制御部１０７から受付けた画像データを表示する。電子ペーパーは、表示した画像データを無電力で維持できるという特徴を有する。また、電子ペーパーは、一つのページの書き換え時間が０．３秒以上とＰＣ端末よりも長いという特徴を有し、書き換えの際に画像を目視することができる。
【００４５】
操作受付け部１０５は、ページ送りボタン、ページ戻しボタンを有し、ユーザによるページを書き換える操作を受け付けるインターフェースである。操作受付け部１０５は、利用者からページを逆送りする操作を受付けた場合、表示制御部１０７及び判定部１０８に、利用者からページを逆送りする操作を受付けたことを通知する。
【００４６】
また、操作受付け部１０５は、ページを逆送りする操作を受付けた以降、逆戻りする操作を受付ける前に表示していたページに復帰するまで、ページを逆送りする操作及びページを順送りする操作を受付ける。そして、操作受付け部１０５は、ページ送りする操作を受付けたことを表示制御部１０７及び判定部１０８に通知する。
【００４７】
画像データＤＢ制御部１０６は、画像データＤＢ１０２を管理する。例えば、画像データＤＢ制御部１０６は、カウンタを有し、画像データを受信した場合、ページカウンタをインクリメントして、受信した画像データにページＮｏを付与する。
【００４８】
そして、画像データＤＢ制御部１０６は、ページＮｏを付与した画像データを、「画像データＩＤ」と「ページＮｏ」とに対応付けて、画像データＤＢ１０２に格納する。画像データＤＢ制御部１０６は、受信した画像データにページＮｏを付与し、画像データＤＢ１０２に格納したことを表示制御部１０７に通知する。
【００４９】
また、画像データＤＢ制御部１０６は、例えば、情報処理装置１０との連携が新たに確立した場合、画像データＤＢ１０２に格納されていた画像データを消去するようにしてもよい。
【００５０】
表示制御部１０７は、表示履歴ＤＢ１０３に基づいて、表示部１０４に表示する画像データの書き換えを制御する。
【００５１】
例えば、表示制御部１０７は、受信した画像データにページＮｏを付与し、画像データＤＢ１０２に格納したことを画像データＤＢ制御部１０６から受付けた場合、画像データＤＢ１０２に記憶されているページＮｏに基づいて、表示履歴ＤＢ１０３を生成する。
【００５２】
例えば、表示制御部１０７は、情報処理装置１０から１ページ目から６ページ目の画像データを受信した場合、図３に示した表示履歴ＤＢ１０３を生成し、表示履歴ＤＢ１０３に基づいて１ページ目の画像データを選択する。そして、表示制御部１０７は、選択した１ページ目の画像データを画像データＤＢ１０２から読み出して表示部１０４に表示させる。
【００５３】
また、表示制御部１０７は、操作受付け部１０５からユーザの書き換え要求があった場合に、表示するコンテンツを表示履歴ＤＢ１０３に基づいて選択し、選択した画像データを画像データＤＢ１０２から読み出して表示部１０４に表示させる。
【００５４】
例えば、表示制御部１０７は、図３に示す表示履歴ＤＢ１０３において、３ページ目の画像データの表示が指示され、表示部１０４に３ページ目の画像データを表示している場合に、ページを順送りする操作を受付けた場合、以下の処理を実行する。すなわち、表示制御部１０７は、４ページ目の画像データを画像データＤＢ１０２から読み出して表示部１０４に表示させる。
【００５５】
同様に、表示制御部１０７は、図３に示す表示履歴ＤＢ１０３において、６ページ目の画像データの表示が指示され、表示部１０４に６ページ目の画像データを表示している場合に、ページを逆送りする操作を受付けた場合、以下の処理を実行する。すなわち、表示制御部１０７は、５ページ目の画像データを画像データＤＢ１０２から読み出して表示部１０４に表示させる。
【００５６】
判定部１０８は、タイマーを有しており、操作受付け部１０５により逆送りする操作を受付けた場合、表示部１０４に表示するコンテンツを書き換えてから、次のコンテンツに書き換えるまでの時間を測定する。そして、判定部１０８は、測定した時間が所定の閾値を超えたか否かを判定する。なお、以下の説明では、測定した時間のことを「滞留時間」として適宜記載する。
【００５７】
そして、判定部１０８は、算出した滞留時間が所定の閾値を超えたと判定した場合、表示履歴ＤＢ１０３を更新する。ここで、判定部１０８によって判定される所定の閾値について説明する。利用者が表示中のページを閲覧する場合、少なくとも「読む」、「拾い読み」、「一瞥」の３通りの閲覧方法に分けることができる。
【００５８】
１つ目の「読む」は、表示中のページの全体を読むことを示す。文字数が１００文字程度の画像を閲覧する場合、利用者は、文章を目で追いながら読むので、３０秒程度の時間を要する。
【００５９】
２つ目の「拾い読み」は、表示中のページ全体を見るのではなく、グラフやタイトルのみ参照することを示す。ページあたりに箇条書き見出し１０字で４個所ある場合、利用者は、ページ当りの閲覧時間として３秒程度要する。
【００６０】
３つ目の「一瞥」は、文章の意味を理解するのではなく、ページをめくりながら、コンテンツを概観することを示す。この場合、利用者は、ページ当りの閲覧時間として約０．３秒を要する。
【００６１】
このような３通りの閲覧方法に基づいて、所定の閾値は、表示装置１００の利用者が、表示中の画像データを読んでいると判定可能な時間に設定されればよい。判定部１０８は、表示時間が３秒以上であれば、利用者が表示中のページを読んでいると判定するので、一例として、所定の閾値は５秒に設定できる。
【００６２】
次に、図４を用いて、判定部１０８による表示履歴ＤＢ１０３を更新する処理を説明する。図４は、判定部による表示履歴ＤＢを更新する処理を示す図である。図４（Ａ）は、情報処理装置１０により６ページ目の画像データの表示が指示されており、表示装置１００が、６ページ目の画像データを表示している場合を示す。
【００６３】
そして、情報処理装置１０により６ページ目の画像データの表示が指示されており、表示装置１００が、利用者から逆送りする操作を受付けて３ページに対応する画像データを表示した場合、判定部１０８は、表示時間が所定の閾値を超えたか否かを判定する。
【００６４】
ここで、判定部１０８は、表示時間が所定の閾値を超えたと判定した場合、図４（Ｂ）に示すように、表示履歴ＤＢ１０３を更新する。すなわち、判定部１０８は、「表示ページＮｏ」に３ページ目を示す「３」、「逆送り割り当てページＮｏ」に２ページ目を示す「２」、「順送り割り当てページＮｏ」に情報処理装置１０に指定されている６ページ目を示す「６」を格納する。
【００６５】
なお、表示装置１００が６ページ目の画像データを表示後、７ページ目の画像データと８ページ目の画像データとを情報処理装置１０から受信し、７ページ目の画像を表示した場合、表示履歴ＤＢ１０３は、図４（Ｃ）に示すように更新される。すなわち、表示履歴ＤＢ１０３は、表示制御部１０７によって、「表示ページＮｏ」に７ページ目を示す「７」、「逆送り割り当てページＮｏ」に６ページ目を示す「６」、「順送り割り当てページＮｏ」に８ページ目を示す「８」が格納される。
【００６６】
画像データＤＢ制御部１０６、表示制御部１０７、判定部１０８は、ＡＳＩＣ（Application  Specific  Integrated  Circuit）やＦＰＧＡ（Field  Programmable  Gate  Array）などの電子回路で実現できる。
【００６７】
［実施例１に係る表示装置によるページ送り操作］
次に、図５を用いて、実施例１に係る表示装置１００によるページ送り操作の時間遷移の一例を説明する。図５は、実施例１に係る表示装置１００によるページ送り操作の時間遷移の一例を示す図である。
【００６８】
図５に示す、縦軸は時間（ｔ）を示す。また、両矢印ｔ１、ｔ２、ｔ３、ｔ４、ｔ５、ｔ６は、期間を示す。
【００６９】
また、破線矢印Ｐ３、Ｐ４、Ｐ５、Ｐ６、Ｐ７は、情報処理装置１０が指示する画像データのページＮｏを示し、実線矢印Ｐ３、Ｐ４、Ｐ５、Ｐ６、Ｐ７は、表示装置１００が表示する画像データのページＮｏを示す。
【００７０】
ｔ１において、情報処理装置１０は、３ページ目の画像データを指示し、表示装置１００は、３ページ目の画像データを表示する。また、ｔ２において、情報処理装置１０は、４ページ目の画像データを指示し、表示装置１００は、４ページ目の画像データを表示する。また、ｔ３において、情報処理装置１０は、５ページ目の画像データを指示し、表示装置１００は、５ページ目の画像データを表示する。
【００７１】
ｔ４において、情報処理装置１０は、６ページ目の画像データを指示し、表示装置１００は、６ページ目の画像データを表示する。そして、ｔ５において、情報処理装置１０は、６ページ目の画像データを指示するが、表示装置１００は、逆送りの操作を利用者から受付けて、５ページ目の画像データ、４ページ目の画像データ、３ページ目の画像データと順に表示する。
【００７２】
ここで、表示装置１００は、３ページ目の画像データを所定の時間を超えて表示する。この後、表示装置１００は、順送りの操作を利用者から受付けた場合、４ページ目の画像データを表示せずに、情報処理装置１０が指示している６ページ目の画像データを表示する。すなわち、表示装置１００の利用者は、情報処理装置１０が指示する画像データにすぐに復帰することができる。
【００７３】
続いて、ｔ６において、情報処理装置１０は、７ページ目の画像データを指示し、表示装置１００は、７ページ目の画像データを表示する。
【００７４】
［実施例１に係る表示システムによる表示処理の処理手順］
次に図６を用いて、実施例１に係る表示システム１による表示処理の処理手順を説明する。図６は、実施例１に係る表示システムによる表示処理の処理手順を示すフローチャートである。
【００７５】
図６に示すように、情報処理装置１０は、連携信号を送信する（ステップＳ１０１）。表示装置１００は、連携信号を受信し（ステップＳ１０２）、連携許可信号を情報処理装置１０に送信する（ステップＳ１０３）。
【００７６】
情報処理装置１０は、連携許可信号を受信し（ステップＳ１０４）、画像データを送信する（ステップＳ１０５）。
【００７７】
また、表示装置１００は、連携許可信号を送信した後、画像データＤＢ１０２に記憶されている画像データを消去し（ステップＳ１０６）、ページカウンタをリセットする（ステップＳ１０７）。
【００７８】
続いて、表示装置１００は、画像データを情報処理装置１０から受信したか否かを判定する（ステップＳ１０８）。ここで、表示装置１００は、画像データを情報処理装置１０から受信していないと判定した場合（ステップＳ１０８、Ｎｏ）、画像データを受信するまで待機する。
【００７９】
一方、表示装置１００は、画像データを情報処理装置１０から受信したと判定した場合（ステップＳ１０８、Ｙｅｓ）、カウンタをセットし（ステップＳ１０９）、受信した画像データにページＮｏを付与する（ステップＳ１１０）。
【００８０】
表示装置１００は、ページ番号を付与した画像データを画像データＤＢ１０２に格納するとともに（ステップＳ１１１）、表示部１０４に表示させる（ステップＳ１１２）。続いて、表示装置１００は、ページ戻し要求を受付けたか否かを判定する（ステップＳ１１３）。
【００８１】
ここで、表示装置１００は、ページ戻し要求を受付けていないと判定した場合（ステップＳ１１３、Ｎｏ）、ステップＳ１１５に移行する。一方、表示装置１００は、ページ戻し要求を受付けたと判定した場合（ステップＳ１１３、Ｙｅｓ）、ページ戻し処理を実行し（ステップＳ１１４）、ステップＳ１１５に移行する。
【００８２】
表示装置１００は、処理を終了するか否かを判定する（ステップＳ１１５）。ここで、表示装置１００は、処理を終了しないと判定した場合（ステップＳ１１５、Ｎｏ）、ステップＳ１０８に移行して、画像データを受信したか否かを判定する。一方、表示装置１００は、処理を終了すると判定した場合（ステップＳ１１５、Ｙｅｓ）、画像データを表示する処理を終了する。
【００８３】
情報処理装置１０は、画像データを送信した後、新たな画像データを送信するか否かを判定する（ステップＳ１１６）。ここで、情報処理装置１０は、新たな画像データを送信すると判定した場合（ステップＳ１１６、Ｙｅｓ）、ステップＳ１０５に移行して、画像データを表示装置１００に送信する。一方、情報処理装置１０は、新たな画像データを送信しないと判定した場合（ステップＳ１１６、Ｎｏ）、処理を終了するか否かを判定する（ステップＳ１１７）。
【００８４】
ここで、情報処理装置１０は、処理を終了しないと判定した場合（ステップＳ１１７、Ｎｏ）、ステップＳ１１６に移行して、新たな画像データを送信するか否かを判定する。一方、情報処理装置１０は、処理を終了すると判定した場合（ステップＳ１１７、Ｙｅｓ）、画像データを送信する処理を終了する。
【００８５】
次に、図７を用いて、実施例１に係る表示装置１００によるページ送り処理の処理手順を説明する。図７は、実施例１に係る表示装置によるページ送り処理の処理手順を示すフローチャートである。なお、この処理は、図６に示すステップＳ１１４の処理に対応する。
【００８６】
図７に示すように、表示装置１００は、滞留時間を測定する（ステップＳ２０１）。そして、表示装置１００は、ページが変更されたか否かを判定する（ステップＳ２０２）。ここで、表示装置１００は、ページが変更されていないと判定した場合（ステップＳ２０２、Ｎｏ）、ステップＳ２０１に移行し、滞留時間を測定する。
【００８７】
一方、表示装置１００は、ページが変更されたと判定した場合（ステップＳ２０２、Ｙｅｓ）、滞留時間が所定時間を超えたか否かを判定する（ステップＳ２０３）。ここで、表示装置１００は、滞留時間が所定時間を超えていないと判定した場合（ステップＳ２０３、Ｎｏ）、元のページに復帰したか否かを判定する（ステップＳ２０４）。そして、表示装置１００は、元のページに復帰したと判定した場合（ステップＳ２０４、Ｙｅｓ）、処理を終了する。一方、表示装置１００は、元のページに復帰していないと判定した場合（ステップＳ２０４、Ｎｏ）、ステップＳ２０１に移行し、滞留時間を測定する。
【００８８】
また、表示装置１００は、滞留時間が所定時間を超えていると判定した場合（ステップＳ２０３、Ｙｅｓ）、滞留しているページ番号を表示履歴ＤＢ１０３に記憶する（ステップＳ２０５）。そして、表示装置１００は、「逆送り割り当てページＮｏ」と「順送り割り当てページＮｏ」とを記憶し、表示履歴ＤＢ１０３を更新して（ステップＳ２０６）、ページ送りの操作を受付けたか否かを判定する（ステップＳ２０７）。
【００８９】
ここで、表示装置１００は、ページ送りの操作を受付けたと判定した場合（ステップＳ２０７、Ｙｅｓ）、ページ送りの操作が順送りであったか否かを判定する（ステップＳ２０８）。そして、表示装置１００は、ページ送りの操作が順送りであったと判定した場合（ステップＳ２０８、Ｙｅｓ）、元のページに復帰する（ステップＳ２０９）。すなわち、表示装置１００は、情報処理装置によって指定されたページに対応する画像データを表示する。ステップＳ２０９の処理が終了後、表示装置は、ページ送り処理を終了して、図６に示すステップＳ１１５に移行する。
【００９０】
また、表示装置１００は、ページ送りの操作を受付けていないと判定した場合（ステップＳ２０７、Ｎｏ）やページ送りの操作が順送りでないと判定した場合（ステップＳ２０８、Ｎｏ）、ステップＳ２０７に移行する。
【００９１】
［実施例１の効果］
上述してきたように、実施例１では、表示装置１００の利用者は、会議の進行にすぐに復帰することができる。
【実施例２】
【００９２】
実施例１では、被説明者が、ページを見返した場合に、すぐに説明者が説明中のページに復帰する例を説明した。ところで、説明者は、どのページを説明した場合に、被説明者がページを見返しているのかを把握できることが望ましい。このようなことから、実施例２では、表示装置が、滞留時間が所定時間を超えたページのリストを生成し、情報処理装置に生成したリストを送信する場合について説明する。
【００９３】
また、実施例１では、表示装置１００は、情報処理装置１０により送信された画像データを受信するものとして説明したが、表示装置１００は、あらかじめセキュリティの確保された場所で、画像データを保存するようにしてもよい。そして、表示装置１００は、情報処理装置１０から指定された画像ＩＤを受信し、受信した画像ＩＤを有する画像データを読み出して表示するようにしてもよい。また、表示装置１００は、画像ＩＤに対し、ページＮｏを付与する。そして、表示装置１００は、付与したページＮｏを用いて画像データを表示する。
【００９４】
［実施例２に係る表示装置の構成］
次に、図８を用いて、実施例２に係る表示装置の構成を説明する。図８は、実施例２に係る表示装置の構成を示すブロック図である。実施例２に係る表示装置２００は、通信部１０１と、画像データＤＢ１０２と、表示履歴ＤＢ１０３と、表示部１０４と、操作受付け部１０５と、画像データＤＢ制御部１０６と、表示制御部１０７と、判定部１０８と、表示履歴ＤＢ読み出し部２０９とを有する。なお、ここでは、図１に示した各部と同様の役割を果たす機能部については、同一符号を付すことにしてその詳細な説明を省略する。
【００９５】
表示履歴ＤＢ読み出し部２０９は、操作受付け部１０５によって利用者から滞留ページリストの読み出し操作を受付けた場合、以下の処理を実行する。すなわち、表示履歴ＤＢ読み出し部２０９は、情報処理装置１０により指定されたページＮｏと、表示時間が所定の閾値を超えたと判定されたページＮｏとを表示履歴ＤＢ１０３から読み出して滞留ページリストを生成する。そして、表示履歴ＤＢ読み出し部２０９は、生成した滞留ページリストを情報処理装置１０に送信する。
【００９６】
［実施例２に係る表示システムによる表示処理の処理手順］
次に図９を用いて、実施例２に係る表示システムによる表示処理の処理手順を説明する。図９は、実施例２に係る表示システムによる表示処理の処理手順を示すフローチャートである。なお、図６に示した処理と同様の処理については同一の符号を付し、説明を省略する。
【００９７】
表示装置２００は、画像データを保存する（ステップＳ３０１）。例えば、表示装置２００には、ＳＤカードなどの媒体で画像データが提供される。また、表示装置２００が、画像データを保存すると、画像データＤＢ１０２の「画像ＩＤ」、「画像データ」には、保存した画像データに対応する情報が格納される。なお、ここで、表示装置２００は、セキュリティが確保された場所で情報処置装置によって送信された画像データを受信するようにしてもよい。このステップＳ２０１が終了後、表示装置２００は、会議が行われる会場にて被説明者に配布される。
【００９８】
ステップＳ１０１からステップＳ１０４の処理は、図６に示す処理と同様である。なお、表示装置２００は、ステップＳ１０３の処理が終了後、画像データＤＢ１０２に記憶されている画像データを消去せずに、ステップＳ１０７に移行する。
【００９９】
情報処理装置１０が、画像ＩＤを表示装置２００へ送信し（ステップＳ３０２）、表示装置２００は、画像ＩＤを受信したか否かを判定する（ステップＳ３０３）。ここで、表示装置２００は、画像ＩＤを受信していないと判定した場合（ステップＳ３０３、Ｎｏ）、画像ＩＤを受信するまで待機する。
【０１００】
一方、表示装置２００は、画像ＩＤを受信したと判定した場合（ステップＳ３０３、Ｙｅｓ）、ステップＳ１０９からステップＳ１１５の処理を実行する。なお、ステップＳ１１１では、表示装置２００は、画像データＤＢ１０２の「ページＮｏ」に付与したページＮｏを格納する。
【０１０１】
また、情報処理装置１０は、ステップＳ３０２の処理の後、新たな画像ＩＤを送信するか否かを判定する（ステップＳ３０４）。ここで、情報処理装置１０は、新たな画像ＩＤを送信すると判定した場合（ステップＳ３０４、Ｙｅｓ）、ステップＳ３０２に移行して、画像ＩＤを表示装置２００に送信する。一方、情報処理装置１０は、新たな画像ＩＤを送信しないと判定した場合（ステップＳ３０４、Ｎｏ）、処理を終了するか否かを判定する（ステップＳ１１７）。
【０１０２】
表示装置２００は、ステップＳ１１５の処理で処理を終了すると判定した場合（ステップＳ１１５、Ｙｅｓ）、滞留ページリストを情報処理装置１０に送信し（ステップＳ３０５）、処理を終了する。また、情報処理装置１０は、ステップＳ１１７の処理で処理を終了すると判定した場合（ステップＳ１１７、Ｙｅｓ）、表示装置２００から滞留ページリストを受信する（ステップＳ３０６）。続いて、情報処理装置１０は、受信した滞留ページリストを表示し（ステップＳ３０７）、処理を終了する。
【０１０３】
［実施例２の効果］
上述してきたように、実施例２では、表示装置２００が滞留ページリストを生成し、情報処理装置１０に送信するので、情報処理装置１０の利用者は、どのページを説明した場合に、表示装置２００の利用者がどのページを見返しているのかを把握できる。
【０１０４】
また、判定部１０８は、測定した滞留時間を、表示履歴ＤＢ１０３の「指定ページＮｏ」と、「表示ページＮｏ」と、「逆送り割り当てページＮｏ」と、「順送り割り当てページＮｏ」とに対応付けて格納するようにしてもよい。そして、表示履歴ＤＢ読み出し部２０９は、情報処理装置１０により指定されたページＮｏと、表示時間が所定の閾値を超えたと判定されたページＮｏと、滞留時間とを表示履歴ＤＢ１０３から読み出して滞留ページリストを生成してもよい。
【０１０５】
そして、情報処理装置１０は、複数の表示装置から収集した、滞留ページリストから、滞留時間と滞留ページＮｏを参照し、重要度を算出する。ここで言う、重要度は、例えば、「滞留時間×滞留した端末数」によって算出されるものとする。
【０１０６】
このように、情報処理装置１０の利用者は、重要度に基づいて被説明者がどのページに関心をもっているか把握することができる。また、情報処理装置１０の利用者は、重要度に基づいてプレゼンテーション終了後の質問を予想することができる。さらに、情報処理装置１０の利用者は、算出した重要度に基づいて、プレゼンテーション終了後の質疑応答時に被説明者に見せるページを選択することができる。すなわち、情報処理装置１０の利用者は、会議を有効にコントロールすることが可能である。
【０１０７】
なお、表示履歴ＤＢ読み出し部２０９は、滞留したページＮｏを読み出して、情報処理装置１０に送信するものとして説明したが、これに限定されるものではない。例えば、表示履歴ＤＢ読み出し部２０９は、表示履歴ＤＢ１０３を情報処理装置１０に送信するようにしてもよい。
【０１０８】
また、情報処理装置１０が送信した画像データは、表示装置２００に共有されるので、２次的に利用される可能性がある。このようなことから、情報処理装置１０との連携が解消したあとには、表示装置２００に送信した画像データは、消去された方が望ましい。
【０１０９】
そこで、通信部１０１に情報処理装置１０との通信状態が解消されたか否かを監視する機能を持たせ、情報処理装置１０との通信状態が解消されたか否かを判定するようにしてもよい。そして、通信部１０１によって、情報処理装置１０との通信状態が解消されたと判定された場合に、画像データＤＢ制御部１０６が画像データＤＢ１０２に記憶されるデータを消去するようにしてもよい。例えば、通信部１０１は、所定時間通信状態が途絶えた場合に、情報処理装置１０との通信状態が解消したと判定する。
【実施例３】
【０１１０】
ところで、本発明は、上述した実施例以外にも、種々の異なる形態にて実施されてよい。そこで、実施例３では、本発明に含まれる他の実施例について説明する。
【０１１１】
（システム構成等）
本実施例において説明した各処理のうち自動的に行われるものとして説明した処理の全部または一部を手動的に行うこともできる。あるいは、手動的に行われるものとして説明した処理の全部又は一部を公知の方法で自動的に行うこともできる。この他、上記文章中や図面中で示した処理手順、制御手順、具体的名称については、特記する場合を除いて任意に変更することができる。
【０１１２】
また、図示した画像データＤＢ１０２や表示履歴ＤＢ１０３が記憶する情報は一例に過ぎず、必ずしも図示のごとく情報が記憶される必要はない。
【０１１３】
また、表示制御部１０７は、ページを逆送りする操作を受付けた後に、情報処理装置１０から新しいコンテンツを受信した場合、ページを順送りする操作を受付けるまで新しいコンテンツを表示しないものとして説明したがこれに限定されるものではない。例えば、表示制御部１０７は、ページを逆送りする操作を受付けた後に、情報処理装置１０から新しいコンテンツを受信した場合、強制的に新しい画像を表示させるようにしてもよい。
【０１１４】
また、各種の負荷や使用状況などに応じて、各実施例において説明した各処理の各ステップでの処理の順番を変更してもよい。
【０１１５】
また、図示した各構成部は、機能概念的なものであり、必ずしも物理的に図示のごとく構成されていることを要しない。さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【０１１６】
（プログラム）
ところで、上記実施例で説明した各種の処理は、あらかじめ用意されたプログラムをパーソナルコンピュータやワークステーションなどのコンピュータシステムで実行することによって実現することができる。そこで、以下では、上記実施例と同様の機能を有するプログラムを実行するコンピュータシステムの一例を説明する。
【０１１７】
図１０は、表示プログラムを実行する表示装置を示す図である。図１０に示すように、表示装置３００は、利用者から各種設定などを受け付ける入力装置３１０と、他の装置とデータを送受信するネットワークインターフェース３２０と媒体読取装置３３０とＲＯＭ（Read  Only  Memory）３４０とＣＰＵ３５０とを有する。そして、各装置３１０〜３５０それぞれは、バス３６０に接続される。
【０１１８】
ここで、図１０に示すように、ＲＯＭ３４０には、図１に示した、表示制御部１０７と判定部１０８と同様の機能を発揮する表示プログラム３４１が予め記憶されている。また、媒体読取装置３３０は、表示プログラム３４１を実現するための各種データを記憶する。この各種データは、例えば、画像データＤＢ１０２や表示履歴ＤＢ１０３を含む。そして、ＣＰＵ３５０は、表示プログラム３４１をＲＯＭ３４０から読み出して、表示プロセス３５１として実行する。すなわち、表示プロセス３５１は、図１に示した、表示制御部１０７と判定部１０８と同様の動作を実行する。
【０１１９】
ところで、上記した表示プログラム３４１は、必ずしもＲＯＭ３４０に記憶させておく必要はない。例えば、表示装置３００に挿入されるＳＤカードなどの「可搬用の物理媒体」に記憶させておくようにしてもよい。また、公衆回線、インターネット、ＬＡＮ（Local  Area  Network）、ＷＡＮ（Wide  Area  Network）などを介して表示装置３００に接続される「他のコンピュータシステム」に記憶させておいてもよい。そして、表示装置３００がこれらからプログラムを読み出して実行するようにしてもよい。
【０１２０】
以上の各実施例を含む実施形態に関し、さらに以下の付記を開示する。
【０１２１】
（付記１）データと前記データに付与されたページ番号とを対応付けて記憶する記憶部と、
自装置とネットワークを介して接続される情報処理装置から指定されたページ番号に対応するデータを前記記憶部から読み出して表示する第１の表示制御部と、
前記第１の表示制御部によって表示されるデータのページ番号を逆送りする操作を受付け、逆送りされたページ番号に対応するデータを前記記憶部から読み出して表示する第２の表示制御部と、
前記第２の表示制御部によって表示されるデータの表示時間が所定の閾値を超えたか否かを判定する判定部と、
前記判定部によって前記第２の表示制御部によって表示されるデータの表示時間が前記所定の閾値を超えたと判定され、データのページ番号を順送りする操作を受付けた場合に、前記情報処理装置から指定されたページ番号に対応するデータを前記記憶部から読み出して表示する第３の表示制御部と
を有することを特徴とする表示装置。
【０１２２】
（付記２）前記表示装置が、
前記判定部によって前記逆送りされたページ番号に対応するデータを表示する表示時間が所定の閾値を超えたと判定された場合、前記情報処理装置から指定されたページ番号と、前記表示時間が前記所定の閾値を超えたと判定されたデータのページ番号とを対応付けたリストを生成する生成部と、
前記生成部によって生成されたリストを前記情報処理装置に送信する送信部と
を更に有することを特徴とする付記１に記載の表示装置。
【０１２３】
（付記３）前記表示装置が、
前記情報処理装置との通信状態が解消されたか否かを監視する監視部と、
前記監視部によって前記情報処理装置との通信状態が解消されたと判定された場合に、前記記憶部が記憶するデータを消去する消去部とを
更に有することを特徴とする付記１または２に記載の表示装置。
【０１２４】
（付記４）前記監視部は、所定時間通信状態が途絶えた場合に、前記情報処理装置との通信状態が解消したと判定することを特徴とする付記３に記載の表示装置。
【０１２５】
（付記５）表示装置が有するコンピュータに、
自装置とネットワークを介して接続される情報処理装置から指定されたページ番号に対応するデータを、データと前記データに付与されたページ番号とを対応付けて記憶する記憶部から読み出して表示させ、
前記表示したデータのページ番号を逆送りする操作を受付けて、逆送りされたページ番号に対応するデータを前記記憶部から読み出して表示させ、
前記逆送りされたページ番号に対応するデータを表示する表示時間が所定の閾値を超えたか否かを判定させ、
前記逆送りされたページ番号に対応するデータを表示する表示時間が所定の閾値を超えたと判定し、データのページ番号を順送りする操作を受付けた場合に、前記情報処理装置から指定されたページ番号に対応するデータを前記記憶部から読み出して表示させる
ことを特徴とする表示プログラム。
【０１２６】
（付記６）前記表示装置が有するコンピュータに、更に、
前記情報処理装置から指定されたページ番号と、前記表示時間が前記所定の閾値を超えたと判定されたデータのページ番号とを対応付けたリストを生成させ、
前記生成したリストを前記情報処理装置に送信させる
ことを特徴とする付記５に記載の表示プログラム。
【０１２７】
（付記７）前記表示装置が有するコンピュータに、更に、
前記情報処理装置との通信状態が解消されたか否かを監視させ、
前記情報処理装置との通信状態が解消されたと判定した場合に、前記記憶部が記憶するデータを消去させる
ことを特徴とする付記５または６に記載の表示プログラム。
【０１２８】
（付記８）前記監視する処理は、所定時間通信状態が途絶えた場合に、前記情報処理装置との通信状態が解消したと判定することを特徴とする付記７に記載の表示プログラム。
【０１２９】
（付記９）表示装置が、
自装置とネットワークを介して接続される情報処理装置から指定されたページ番号に対応するデータを、データと前記データに付与されたページ番号とを対応付けて記憶する記憶部から読み出して表示し、
前記表示したデータのページ番号を逆送りする操作を受付けて、逆送りしたページ番号に対応するデータを前記記憶部から読み出して表示し、
前記逆送りしたページ番号に対応するデータを表示する表示時間が所定の閾値を超えたか否かを判定し、
前記逆送りしたページ番号に対応するデータを表示する表示時間が所定の閾値を超えたと判定し、データのページ番号を順送りする操作を受付けた場合に、前記情報処理装置から指定されたページ番号に対応するデータを前記記憶部から読み出して表示する
処理を実行することを特徴とする表示方法。
【０１３０】
（付記１０）前記表示装置が、更に、
前記情報処理装置から指定されたページ番号と、前記表示時間が前記所定の閾値を超えたと判定されたデータのページ番号とを対応付けたリストを生成し、
前記生成したリストを前記情報処理装置に送信する
処理を実行することを特徴とする付記９に記載の表示方法。
【０１３１】
（付記１１）前記表示装置が、更に、
前記情報処理装置との通信状態が解消されたか否かを監視し、
前記情報処理装置との通信状態が解消されたと判定した場合に、前記記憶部が記憶するデータを消去する
処理を実行することを特徴とする付記９または１０に記載の表示方法。
【０１３２】
（付記１２）前記監視する処理は、所定時間通信状態が途絶えた場合に、前記情報処理装置との通信状態が解消したと判定することを特徴とする付記１１に記載の表示方法。
【０１３３】
（付記１３）情報処理装置と前記情報処理装置とネットワークを介して接続される表示装置とを有する表示システムにおける会議方法であって、
前記情報処理装置が、
前記表示装置にページ番号を指定し、
前記表示装置が、
前記情報処理装置から指定されたページ番号に対応するデータを、データと前記データに付与されたページ番号とを対応付けて記憶する記憶部から読み出して表示し、
前記表示したデータのページ番号を逆送りする操作を受付けて、逆送りしたページ番号に対応するデータを前記記憶部から読み出して表示し、
前記逆送りしたページ番号に対応するデータを表示する表示時間が所定の閾値を超えたか否かを判定し、
前記逆送りしたページ番号に対応するデータを表示する表示時間が所定の閾値を超えたと判定し、データのページ番号を順送りする操作を受付けた場合に、前記情報処理装置から指定されたページ番号に対応するデータを前記記憶部から読み出して表示する
処理を実行することを特徴とする会議方法。
【０１３４】
（付記１４）前記表示装置が、更に、
前記情報処理装置から指定されたページ番号と、前記表示時間が前記所定の閾値を超えたと判定されたデータのページ番号とを対応付けたリストを生成し、
前記生成したリストを前記情報処理装置に送信する
処理を実行することを特徴とする付記１３に記載の会議方法。
【０１３５】
（付記１５）前記表示装置が、更に、
前記情報処理装置との通信状態が解消されたか否かを監視し、
前記情報処理装置との通信状態が解消されたと判定した場合に、前記記憶部が記憶するデータを消去する
処理を実行することを特徴とする付記１３または１４に記載の会議方法。
【０１３６】
（付記１６）前記監視する処理は、所定時間通信状態が途絶えた場合に、前記情報処理装置との通信状態が解消したと判定することを特徴とする付記１５に記載の会議方法。
【符号の説明】
【０１３７】
１  表示システム
１０  情報処理装置
１１  通信部
１２  記憶部
１３  制御部
１００、２００  表示装置
１０１  通信部
１０２  画像データＤＢ
１０３  表示履歴ＤＢ
１０４  表示部
１０５  操作受付け部
１０６  画像データＤＢ制御部
１０７  表示制御部
１０８  判定部
２０９  表示履歴ＤＢ読み出し部
【図１】
2013011970.tif 000003
【図２】
2013011970.tif 000004
【図３】
2013011970.tif 000005
【図４】
2013011970.tif 000006
【図５】
2013011970.tif 000007
【図６】
2013011970.tif 000008
【図７】
2013011970.tif 000009
【図８】
2013011970.tif 000010
【図９】
2013011970.tif 000011
【図１０】
2013011970.tif 000012